(57)【要約】【課題】従来のケースはケース本体と蓋とを有しているため、どうしてもコストが嵩むことになる。【解決手段】保護カバー１をＣＤ１０に装着する場合には、ＣＤ１０の記録面を下側にして、ＣＤ１０を押さえ付けるようにする。これによりＣＤ１０は外周部が保持爪１７の傾斜面に当接し、連結部１５を外側へ弾性変形させて、保持爪１７の下面へ嵌り込み、ＣＤ１０は保持爪１７に保持される。保持爪１７に保持されたＣＤ１０は、外周部と穴１２の周囲の部分が環状壁７の上面に支持され、ＣＤ１０の記録面は凹部９に対向する状態となる。従って、ＣＤ１０の記録面は本体３に接触せず、記録面が傷むのを完全に防止することができる。さらに、本体３はＣＤ１０に対し完全に重なる状態となるので、本体３の剛性がＣＤ１０自体の剛性に加えられ、ＣＤ１０折り曲げようとする力に対し高い抵抗力をもつ。【選択図】        図１
2005096813.tif 000002
【特許請求の範囲】
【請求項１】
板状情報記録媒体の片方の面を覆う本体と、前記本体に板状情報記録媒体を着脱自在に保持する保持手段とから成る板状情報記録媒体の保護カバー。
【請求項２】
請求項１に記載した板状情報記録媒体の保護カバーにおいて、保持手段は本体に設けられて板状情報記録媒体の端部を保持する可撓性をもつ保持片によって構成されていることを特徴とする板状情報記録媒体の保護カバー。
【請求項３】
請求項１または２に記載した板状情報記録媒体の保護カバーにおいて、前記保護カバーどうしを重ねた状態で、保持手段によって保持された板状情報記録媒体と重ねられている保護カバーとの間に隙間をつくり、前記板状情報記録媒体と重ねられている保護カバーとが接触するのを防止するスペーサー部が設けられていることを特徴とする板状情報記録媒体の保護カバー。
【請求項４】
請求項１から３に記載した板状情報記録媒体の保護カバーにおいて、スペーサー部は保持手段を構成する部材を兼ねているものであることを特徴とする板状情報記録媒体の保護カバー。
【発明の詳細な説明】
【技術分野】
【０００１】
本発明はコンパクトディスク（以下、ＣＤという。）やフロッピー（登録商標）ディスク（以下、ＦＤという。）等の板状情報記録媒体の保護カバーに関するものである。
【背景技術】
【０００２】
音楽データ等を記憶したＣＤは通常プラスチック製のケースに収容されて、搬送される。このケースはＣＤを固定する本体と、本体に対し開閉自在に連結された蓋とによって構成されている。
【発明の開示】
【発明が解決しようとする課題】
【０００３】
しかしながら、従来のケースは本体と蓋とを有しているため、どうしてもコストが嵩むことになる。
また、ＣＤの直径は１２ｃｍ弱であり、普通郵便で送ることが可能な郵便物の幅寸法１２ｃｍぎりぎりであるため、ＣＤを従来のケースに入れてしまったのでは普通郵便で送ることができなくなってしまう。だからといって、ＣＤをそのまま封筒に入れたのでは、ＣＤが破損するおそれがある。特に、ＣＤの記録面に傷が付くと、情報の再生不良を招くことになる。
【課題を解決するための手段】
【０００４】
本発明は上記課題を解決するためになされたものであり、請求項１の発明は、板状情報記録媒体の片方の面を覆う本体と、前記本体に板状情報記録媒体を着脱自在に保持する保持手段とから成る板状情報記録媒体の保護カバーである。
【０００５】
請求項２の発明は、請求項１に記載した板状情報記録媒体の保護カバーにおいて、保持手段は本体に設けられて板状情報記録媒体の端部を保持する可撓性をもつ保持片によって構成されていることを特徴とする板状情報記録媒体の保護カバーである。
【０００６】
請求項３の発明は、請求項１または２に記載した板状情報記録媒体の保護カバーにおいて、前記保護カバーどうしを重ねた状態で、保持手段によって保持された板状情報記録媒体と重ねられている保護カバーとの間に隙間をつくり、前記板状情報記録媒体と重ねられている保護カバーとが接触するのを防止するスペーサー部が設けられていることを特徴とする板状情報記録媒体の保護カバーである。
【０００７】
請求項４の発明は、請求項１から３に記載した板状情報記録媒体の保護カバーにおいて、スペーサー部は保持手段を構成する部材を兼ねているものであることを特徴とする板状情報記録媒体の保護カバーである。
【発明の効果】
【０００８】
本発明の板状情報記録媒体の保護カバーは、低コストで製作することができる。
また、ＣＤを破損するおそれのない状態で普通郵便により送ることができる。
【実施例１】
【０００９】
本発明の実施例１に係る板状情報記録媒体の保護カバーとしてのＣＤの保護カバー１を図１〜図４にしたがって説明する。
ＣＤの保護カバー１は可撓性を有するポリプロピレン系のプラスチックによって構成されており、重さは約６ｇである。
符号３はＣＤ１０より僅かに大きい直径を有するほぼ円盤状の本体を示し、この本体３の中心には丸穴５が形成されている。本体３の外周部と丸穴の周囲には低い環状壁７が形成されている。
【００１０】
本体３の外周縁には一対の撓み片１１が一体に形成されており、この撓み片１１は互いに対向する部位に配置されている。撓み片１１は、押圧部１３と、この押圧部１３と本体３に連続して形成された３つの連結部１５、さらに押圧部１３に形成された２つの保持爪１７とによって構成されている。
連結部１５は、押圧部１３の左右の端部と中央に形成されている。また、保持爪１７は押圧部１３の左右の端部に配置されており、本体３の上方へ突出している。即ち、保持爪１７は、その下面が凹部９にＣＤ１０の厚さ寸法より僅かに大きい寸法の隙間を開けて備えられている。また保持爪１７はテーパー状に形成されている。
このようにＣＤの保護カバー１は蓋を有していないので、極めて低コストで製作することができる。
【００１１】
次に、このＣＤの保護カバー１の使用方法について説明する。
保護カバー１をＣＤ１０に装着する場合には、図１に示すようにＣＤ１０の記録面を下側にして、ＣＤ１０を軽く押さえる。これによりＣＤ１０は外周部が保持爪１７の傾斜面に当接し、連結部１５を外側へ弾性変形させて、保持爪１７の下側へ嵌り込み、ＣＤ１０は保持爪１７に保持される。
なお、上記したＣＤ１０の記録面を下側にして、ＣＤ１０を軽く押す際に、押圧部１３を指で軽く押してもよく、このようにすれば連結部１５が外側へ向かって撓み、ＣＤ１０をよりスムーズに保持爪１７の下側へ入れることができる。
このように、保護カバー１ではＣＤ１０に保護カバー１を極めて単純な動作で、装着することができる。従って、構造の簡単な自動機によって効率よくＣＤ１０に保護カバー１を装着することが可能である。
【００１２】
保持爪１７に保持されたＣＤ１０は、外周部と穴１２の周囲の部分が環状壁７の上面に支持され、ＣＤ１０の記録面は凹部９に対向する状態となる。従って、ＣＤ１０の記録面は本体３に接触せず、記録面が傷むのを完全に防止することができる。さらに、本体３はＣＤ１０に対し完全に重なる状態となるので、本体３の剛性がＣＤ１０自体の剛性に加えられ、ＣＤ１０を折り曲げようとする力に対し高い抵抗力をもつことになる。
【００１３】
また、本体３はＣＤ１０より僅かに大きい直径に形成されており、またＣＤ１０の重さは１５〜１６ｇであるので保護カバー１の重さ６ｇと合計しても２１ｇ程度であり、普通郵便で送ることができる重さ２５ｇを下回ることになる。従って、保護カバー１に装着されたＣＤ１０を入れる封筒の重さを考慮しても重量、幅寸法の両方において普通郵便で送ることができる条件を満たすことになる。
なお、押圧部１３の長さ寸法は４．５ｃｍであり、一対の押圧部１３と本体３とを含めた長さ寸法は１３ｃｍであり、本体３の厚さ寸法は３．５ｍｍである。
【００１４】
図３、図４に示すように、ＣＤ１０に装着した保護カバー１を重ねると、下側に位置する保護カバー１の保持爪１７の上面に、上側に位置する保護カバー１の本体３の底面が載ることになる。従って、保持爪１７によって保持されたＣＤ１０と重ねられている保護カバー１との間に隙間ができる。このように保持爪１７はスペーサー部として機能し、下側に配置された保護カバー１の本体３に覆われていないＣＤ１０の上面が、上側に位置する保護カバー１に接触するのを防止し、ＣＤ１０が傷付くのを防ぐことができる。
【００１５】
次に、ＣＤ１０から保護カバー１を外す方法について説明する。
保護カバー１の外周部を左手で掴み、右手の親指をＣＤ１０の外周部に掛け、人差し指をＣＤ１０の穴１２に差し入れて、ＣＤ１０を掴む。そして、左手親指で押圧部１３を押さえて、撓み片１１及び本体３を撓ませて、一方の保持爪１７をＣＤ１０から離間させ、この状態でＣＤ１０を抜き取る。
【００１６】
また、次の方法によりＣＤ１０から保護カバー１を外してもよい。
ＣＤ１０に装着された保護カバー１をテーブル等に置き、右手の親指をＣＤ１０の外周に掛け、人差し指を穴１２に差し入れて、ＣＤ１０を掴む。そして、一方の押圧部１３を左手親指で押し、同時に他方の押圧部１３を人差し指で押して、これにより保持爪１７がＣＤ１０から外れたところで、ＣＤ１０を抜き取る。
【００１７】
さらに、次の方法によりＣＤ１０から保護カバー１を外してもよい。
片方の手の人差し指をＣＤ１０の穴１２に差し入れて、穴１２の周面に指を掛ける。そして、親指で一方の押圧部１３を押して撓み片１１及び本体３を撓ませて保持爪１７をＣＤ１０から外し、この親指をＣＤ１０の外周面に掛けて、穴１２に差し入れた人差し指とによってＣＤ１０を掴んで抜き取る。
【実施例２】
【００１８】
図５に実施例２に係るＣＤの保護カバー２１を示す。
この保護カバー２１は、実施例１のＣＤの保護カバー１と同様の構成部分を有するので、同様の構成部分については実施例１と同じ符号を引用し、また図面に付して説明を省略し、異なる部分についてのみ説明する。このことは実施例３から実施例５に係るＣＤの保護カバーについても適用する。
このＣＤの保護カバー２１の重さは６ｇ程度である。
【００１９】
この保護カバー２１では、本体３に４つの切り欠き２３が形成されており、切り欠き２３は押圧部１３の左右の端部に配置されている連結部１５の側方に配置されている。
切り欠き２３が形成されているので、押圧部１３を押さえると、連結部１３及び本体３がより大きく撓み、保持爪１７がＣＤ１０から外れやすくなる。また、ＣＤ１０を保護カバー２１に装着する際にも、連結部１５及び本体３がより大きく撓むので、ＣＤ１０に保護カバー２１をより簡単に装着することが可能となる。
【実施例３】
【００２０】
図６に示す実施例３に係るＣＤの保護カバー３１は、実施例１の保護カバー１と、この保護カバー１が固定された矩形の浅いトレー３２とによって構成されている。
トレー３２は、側辺部に形成された直線状の立ち上がり壁３５と、本体３と撓み片１１に沿って形成された立ち上がり壁３７とを有している。
この保護カバー３１では、トレー３２によってより高い剛性を有し、ＣＤ１０を折り曲げようとする力に対し極めて高い抵抗力をもつ。
【実施例４】
【００２１】
図７に実施例４に係るＣＤの保護カバー４１を示す。
この保護カバー４１では、撓み片１１が本体３の一箇所にのみ設けられており、従って、押圧部１３、連結部１５及び保持爪１７は、一つの撓み片１１に対応する数だけ設けられている。
本体３の撓み片１１に対向する部分には、保持爪１７と共に保持手段を構成する保持爪４３が形成されている。保持爪４３は本体３に沿う円弧状で、ある程度の長さを有している。
このＣＤの保護カバー４１の重さは６ｇ程度である。
【００２２】
保護カバー４１は、厚紙製の台紙４５に本体３の底面が貼り付けられて固定されている。この台紙４５の一点鎖線で示す折り曲げ部を折り曲げれば、台紙４５がＣＤ１０の上面を覆うことになり、より確実にＣＤ１０を保護することができる。
なお、このＣＤ１０に保護カバー４１を装着する方法は実施例１の保護カバー１とほぼ同様である。また、ＣＤ１０から保護カバー４１を外す方法は、撓み片１１が一箇所にのみ形成されているため、１つの押圧部１３を押さえる点を除き、実施例１の保護カバー１とほぼ同様である。
【実施例５】
【００２３】
図８に実施例５に係るＣＤの保護カバー５１を示す。
この保護カバー５１は保持爪４３が二箇所に設けられている。他は、実施例４の保護カバー４１と同様の構成である。
このＣＤの保護カバー５１の重さは６ｇ程度である。
【実施例６】
【００２４】
図９に実施例６に係るＦＤ６０の保護カバー６１を示す。
符号６３は長方形の本体を示し、この本体６３の三辺には立ち上がり壁６５が形成されており、他の１辺には長方形の合わせ板６７が一体に形成されている。
本体６３には２個一組の当接片６９が二組設けられている。当接片６９は直角に曲がった板状の主部７０と、この主部７０の内側面上端に形成された保持爪７２とから成り、この当接片６９は基端部を除いて切り込み７３に囲まれた支持片７１の先端部に設けられている。
【００２５】
符号７５は保持部材を示し、この保持部材７５は基端部を除いて切り込み７８に囲まれた支持片７９に設けられている。保持部材７５は、２個の当接片６９に対し１個設けられており、一組の当接片６９どうしを結ぶ直線の中心に対する直交線上に位置している。保持部材７５は垂直部８１と、この垂直部８１の上端に一体に形成された水平部８３とによって構成されている。この水平部８３の先端部が保持爪８５になっており、上面が押圧部８７になっている。この保持爪８５の先端面は傾斜面となっている。
一組の当接片６９と保持部材７５とによって保持手段が構成されている。
合わせ板６７には、直角に曲がった形状の凸部８９と真っ直ぐな凸部９１が各々２個ずつ設けられている。凸部８９は一方の当接片６９の外側部に嵌り込む大きさ及び位置に備えられている。これら凸部８９、９１によってブックレットが構成され、凸部８９、９１に囲まれた領域に冊子をはめ込むようにして保持する。
【００２６】
次に、このＦＤ６０の保護カバー６１の使用方法について説明する。
ＦＤ６０に保護カバー６１を装着するには、ＦＤ６０を一組の当接片６９と保持部材７５に囲まれた領域に押し込む。当接片６９を支持する支持片７１は基端部を除いて切り込み７３に囲まれており、また保持部材７５を支持する支持する支持片７９は基端部を除いて切り込み７８に囲まれているので、ＦＤ６０を押し込むようにすれば、支持片７１、７９が撓んで、当接片６９及び保持部材７５が外側へ逃げる。そして、ＦＤ６０が一組の当接片６９と保持部材７５に囲まれた領域に収まれば、当接片６９及び保持部材７５が元の位置に戻り、一組の当接片６９の主部７０がＦＤ６０の２つの角部を保持すると共に角部近傍の上面を保持爪７２が保持し、さらに保持部材７５の保持爪８５が一辺の中央部を保持する。
合わせ板６７を本体６３に合わせるようにすれば、剛性がより大きくなり曲げに対する抵抗力がより向上することになる。
【００２７】
ＦＤ６０から保護カバー６１を外す場合には、合わせ板６７を開いて、右手で保持部材７５の押圧部８７を開く方向へ押して、保持爪８５をＦＤ６０から外し、左手でＦＤ６０の側部を掴んで抜き取る。
【００２８】
以上、本発明の実施例について詳述してきたが、具体的構成は、この実施の形態に限られるものではなく、本発明の要旨を逸脱しない範囲における設計の変更などがあっても発明に含まれる。
例えば、上記実施例では、板状情報記録媒体としてＣＤ及びＦＤを示したが、本発明はこれに限定されず、コンパクトフラッシュ（登録商標）等のメモリーカードに適用してもよい。
上記実施例１から実施例５のＣＤの保護カバー及び実施例６のＦＤの保護カバーはポリプロピレン系のプラスチックによって構成したが、本発明はこれに限定されず、ポリプロピレン系のプラスチック以外のプラスチック材料によって構成してもよく、さらに紙、パルプモールド等によって構成してもよい。
【図面の簡単な説明】
【００２９】
【図１】本発明の実施例１に係るＣＤの保護カバー及びこれが装着されるＣＤの斜視図である。
【図２】図１のＡ−Ａ断面図である。
【図３】本発明の実施例１に係るＣＤの保護カバーを重ねた状態の斜視図である。
【図４】図３のＢ−Ｂ断面図である。
【図５】本発明の実施例２に係るＣＤの保護カバー及びこれが装着されるＣＤの斜視図である。
【図６】本発明の実施例３に係るＣＤの保護カバーをＣＤに装着した状態の斜視図である。
【図７】本発明の実施例４に係るＣＤの保護カバーをＣＤに装着した状態の斜視図である。
【図８】本発明の実施例５に係るＣＤの保護カバーをＣＤに装着した状態の斜視図である。
【図９】本発明の実施例６に係るＦＤの保護カバーをＦＤに装着した状態の斜視図である。
【符号の説明】
【００３０】
１、２１、３１、４１、５１  ＣＤの保護カバー
３  本体      ５  丸穴      ７  環状壁      ９  凹部
１０  ＣＤ      １１  撓み片      １２  穴      １３  押圧部
１５  連結部      １７、４３  保持爪      ２３  切り欠き
３２  トレー      ３５、３７  立ち上がり壁      ４５  台紙
６０  ＦＤ      ６１  ＦＤの保護カバー      ６３  本体
６５  立ち上がり壁      ６７  合わせ板
６９  当接片      主部  ７０      保持爪  ７２
７１  支持片      ７３、７８  切り込み
７５  保持部材    ７９  支持片
８１  垂直部      ８３  水平部      ８５  保持爪
８７  押圧部      ８９、９１  凸部
【図１】
2005096813.tif 000003
【図２】
2005096813.tif 000004
【図３】
2005096813.tif 000005
【図４】
2005096813.tif 000006
【図５】
2005096813.tif 000007
【図６】
2005096813.tif 000008
【図７】
2005096813.tif 000009
【図８】
2005096813.tif 000010
【図９】
2005096813.tif 000011